(57)【要約】【課題】求人者と求職者との間をインターネットを利用して仲介し、短期間で契約を結ぶことにより迅速な労働力の確保・提供とそのための費用を削減する。【解決手段】求人端末２０から仕事情報の登録要求があると仕事情報を求人データベース３２に登録し、求職端末１０から検索条件を伴う仕事情報の検索要求があると求人データベース３２を検索して検索条件に合う仕事情報を返送し、求職端末１０から検索結果の仕事情報に対する応募要求があると該当する登録済みの仕事情報と関連付けて応募した求職者の情報を応募情報として求人データベース３２に蓄積し、蓄積した応募情報を該当する仕事情報を登録した求人端末２０へ送り、求人端末２０から応募者毎の採用諾否の採用結果を受けると応募した全ての求職者毎に個別の採用結果を通知する求職求人サーバ３０を有する。【選択図】      図１
2004258982.tif 000002
【特許請求の範囲】
【請求項１】
求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求人端末から仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
蓄積した応募情報を該当する仕事情報を登録した求人端末へ送り、
求人端末から応募者毎の採用諾否の採用結果を受けると応募した全ての求職者毎に個別の採用結果を通知することを特徴とする求職求人システム。
【請求項２】
求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送ることを特徴とする求職求人システム。
【請求項３】
求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送り、
求人端末から応募者毎の採用諾否の採用結果を受けると応募した全ての求職者毎に個別の採用結果を通知することを特徴とする求職求人システム。
【請求項４】
求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求職者に関する情報と求職者を識別する求職者ＩＤとを含む求職者情報を登録して保持する求職データベースと、求人者に関する求人者情報と求人を希望する仕事情報と仕事情報に対する応募情報とを登録して保持する求人データベースとを有し、
求人端末から求人者の登録要求があると求人者の情報に求人者ＩＤを付与して求人者情報を生成し求人データベースに登録し、求人端末から募集期間を含んだ仕事情報の登録要求があると登録済みの求人者情報と関連付けて仕事情報を求人データベースに登録し、
求職端末から求職者の登録要求があると求職者の情報に求職者ＩＤを付与して求職者情報を生成して求職データベースに登録し、求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の求職者ＩＤを応募情報として求人データベースに蓄積し、
募集期間が終わると蓄積した応募情報を該当する仕事情報を登録した求人端末へ送り、
求人端末から応募した求職者毎の採用諾否の採用結果を受けると応募した求職者毎に個別の採用結果を通知することを特徴とする求職求人システム。
【請求項５】
求職者が使用しインターネットに接続可能な求職端末と、求人者が使用しインターネットに接続可能な求人端末と、これらの端末とインターネットを介して接続する求職求人サーバであって、
求人端末から仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
蓄積した応募情報を該当する仕事情報を登録した求人端末へ送り、
求人端末から応募者毎の採用諾否の採用結果を受けると応募した全ての求職者毎に個別の採用結果を通知することを特徴とする求職求人サーバ。
【請求項６】
求職者が使用しインターネットに接続可能な求職端末と、求人者が使用しインターネットに接続可能な求人端末と、これらの端末とインターネットを介して接続する求職求人サーバであって、
求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送ることを特徴とする求職求人サーバ。
【請求項７】
求職者が使用しインターネットに接続可能な求職端末と、求人者が使用しインターネットに接続可能な求人端末と、これらの端末とインターネットを介して接続する求職求人サーバであって、
求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送り、
求人端末から応募者毎の採用諾否の採用結果を受けると応募した全ての求職者毎に個別の採用結果を通知することを特徴とする求職求人サーバ。
【請求項８】
求職者が使用しインターネットに接続可能な求職端末と、求人者が使用しインターネットに接続可能な求人端末と、これらの端末とインターネットを介して接続する求職求人サーバであって、
求職者に関する情報と求職者を識別する求職者ＩＤとを含む求職者情報を登録して保持する求職データベースと、求人者に関する求人者情報と求人を希望する仕事情報と仕事情報に対する応募情報とを登録して保持する求人データベースとを有し、
求人端末から求人者の登録要求があると求人者の情報に求人者ＩＤを付与して求人者情報を生成し求人データベースに登録し、求人端末から募集期間を含んだ仕事情報の登録要求があると登録済みの求人者情報と関連付けて仕事情報を求人データベースに登録し、
求職端末から求職者の登録要求があると求職者の情報に求職者ＩＤを付与して求職者情報を生成して求職データベースに登録し、求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の求職者ＩＤを応募情報として求人データベースに蓄積し、
募集期間が終わると蓄積した応募情報を該当する仕事情報を登録した求人端末へ送り、
求人端末から応募した求職者毎の採用諾否の採用結果を受けると応募した求職者毎に個別の採用結果を通知することを特徴とする求職求人サーバ。
【請求項９】
求人者が使用しインターネットに接続する求人端末から仕事情報の登録要求があると仕事情報を求人データベースに登録し、
求職者が使用しインターネットに接続する求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
蓄積した応募情報を該当する仕事情報を登録した求人端末へ送り、
求人端末から応募者毎の採用諾否の採用結果を受けると応募した全ての求職者毎に個別の採用結果を通知することを特徴とする求職求人方法。
【請求項１０】
求人者が使用しインターネットに接続する求人端末から募集期間を含んだ仕事情報の登録要求があると仕事情報を求人データベースに登録し、
求職者が使用しインターネットに接続する求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送ることを特徴とする求職求人方法。
【請求項１１】
求人者が使用しインターネットに接続する求人端末から募集期間を含んだ仕事情報の登録要求があると仕事情報を求人データベースに登録し、
求職者が使用しインターネットに接続する求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送り、
求人端末から応募者毎の採用諾否の採用結果を受けると応募した全ての求職者毎に個別の採用結果を通知することを特徴とする求職求人方法。
【請求項１２】
求人者が使用しインターネットに接続する求人端末から求人者の登録要求があると求人者の情報に求人者ＩＤを付与して求人者情報を生成し求人データベースに登録し、求人端末から募集期間を含んだ仕事情報の登録要求があると登録済みの求人者情報と関連付けて仕事情報を求人データベースに登録し、
求職者が使用しインターネットに接続する求職端末から求職者の登録要求があると求職者の情報に求職者ＩＤを付与して求職者情報を生成して求職データベースに登録し、求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の求職者ＩＤを応募情報として求人データベースに蓄積し、
募集期間が終わると蓄積した応募情報を該当する仕事情報を登録した求人端末へ送り、
求人端末から応募した求職者毎の採用諾否の採用結果を受けると応募した求職者毎に個別の採用結果を通知することを特徴とする求職求人方法。
【請求項１３】
求人者が使用しインターネットに接続する求人端末から仕事情報の登録要求があると仕事情報を求人データベースに登録する手順と、
求職者が使用しインターネットに接続する求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の情報を応募情報として求人データベースに蓄積する手順と、
蓄積した応募情報を該当する仕事情報を登録した求人端末へ送る手順と、
求人端末から応募者毎の採用諾否の採用結果を受けると応募した全ての求職者毎に個別の採用結果を通知する手順とをコンピュータに実行させることを特徴とするプログラム。
【請求項１４】
求人者が使用しインターネットに接続する求人端末から募集期間を含んだ仕事情報の登録要求があると仕事情報を求人データベースに登録する手順と、
求職者が使用しインターネットに接続する求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の情報を応募情報として求人データベースに蓄積する手順と、
募集期間が終わると蓄積した応募情報を該当する仕事情報を登録した求人端末へ送る手順とをコンピュータに実行させることを特徴とするプログラム。
【請求項１５】
求人者が使用しインターネットに接続する求人端末から募集期間を含んだ仕事情報の登録要求があると仕事情報を求人データベースに登録する手順と、
求職者が使用しインターネットに接続する求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の情報を応募情報として求人データベースに蓄積する手順と、
募集期間が終わると蓄積した応募情報を該当する仕事情報を登録した求人端末へ送る手順と、
求人端末から応募者毎の採用諾否の採用結果を受けると応募した全ての求職者毎に個別の採用結果を通知する手順とをコンピュータに実行させることを特徴とするプログラム。
【請求項１６】
求人者が使用しインターネットに接続する求人端末から求人者の登録要求があると求人者の情報に求人者ＩＤを付与して求人者情報を生成し求人データベースに登録する手順と、求人端末から募集期間を含んだ仕事情報の登録要求があると登録済みの求人者情報と関連付けて仕事情報を求人データベースに登録する手順と、
求職者が使用しインターネットに接続する求職端末から求職者の登録要求があると求職者の情報に求職者ＩＤを付与して求職者情報を生成して求職データベースに登録する手順と、求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の求職者ＩＤを応募情報として求人データベースに蓄積する手順と、
募集期間が終わると蓄積した応募情報を該当する仕事情報を登録した求人端末へ送る手順と、
求人端末から応募した求職者毎の採用諾否の採用結果を受けると応募した求職者毎に個別の採用結果を通知する手順とをコンピュータに実行させることを特徴とするプログラム。
【発明の詳細な説明】
【０００１】
【発明の属する技術分野】
本発明はインターネットを利用した求職求人システム、求職求人サーバ、求職求人方法、及びプログラムに関し、特にインターネット上で求職者情報の登録、求人情報の登録から採用決定通知までを実行する技術に関する。
【０００２】
【従来の技術】
従来仕事を探す求職者は、職業安定所や就職情報誌等から仕事の内容や諸条件を含む求人情報を入手していた。これらの求人情報は掲載するまでの時間が長いことなどから、臨時でごく短期間の労働は掲載しづらく、募集される仕事は長期間の雇用形態がほとんどであった。
【０００３】
情報の伝達を短縮するものとしてインターネットに開設したウェブページに求人情報を掲載し求職者に情報を提供するようになっている。例えば、特開２００２−２３０１５４号公報には、求人情報と求職者（人材）情報とをインターネット上に公開してどちらからも最新の情報を検索できるようにした技術が開示されている。
【０００４】
【特許文献１】
特開２００２−２３０１５４号公報
【０００５】
【発明が解決しようとする課題】
職業安定所や就職情報誌から得られる情報は掲載に時間がかかるため、短期間の仕事は掲載されにくく、短期間の仕事で収入を得ようとする求職者にとっては有効な情報を得られなかった。また、このような条件の中で求人側の企業が臨時で短期間の仕事に対して人材を募集しようとすると派遣業者や専門業者に仕事を依頼するしかなく募集対象が限定されてしまっていた。
【０００６】
これに対して、求人情報や求職情報をインターネット上に公開することによりこれらの情報を容易に入手できるようにできたが、求人者と求職者との間を仲介し短期間で契約を結ぶような支援技術が提供されていないため、契約に至る過程で時間と費用がかかるという問題があった。
【０００７】
本発明の目的は、上述の問題点を解決し、求人者と求職者との間をインターネットを利用して仲介し、短期間で契約を結ぶことにより迅速な労働力の確保・提供とそのための費用の削減を実現した求職求人システム、求職求人方法、及びプログラムを提供することにある。
【０００８】
【課題を解決するための手段】
本発明の第１の求職求人システムは、求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求人端末から仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
蓄積した応募情報を該当する仕事情報を登録した求人端末へ送り、
求人端末から応募者毎の採用諾否の採用結果を受けると応募した全ての求職者毎に個別の採用結果を通知することを特徴とする。
【０００９】
本発明の第２の求職求人システムは、求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送ることを特徴とする。
【００１０】
本発明の第３の求職求人システムは、求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送り、
求人端末から応募者毎の採用諾否の採用結果を受けると応募した全ての求職者毎に個別の採用結果を通知することを特徴とする。
【００１１】
本発明の第４の求職求人システムは、求職者が使用しインターネットに接続可能な求職端末と、求人者が使用しインターネットに接続可能な求人端末と、これらの端末とインターネットを介して接続する求職求人サーバを有する求職求人システムであって、
前記求職求人サーバは、求職者に関する情報と求職者を識別する求職者ＩＤとを含む求職者情報を登録して保持する求職データベースと、求人者に関する求人者情報と求人を希望する仕事情報と仕事情報に対する応募情報とを登録して保持する求人データベースとを有し、
求人端末から求人者の登録要求があると求人者の情報に求人者ＩＤを付与して求人者情報を生成し求人データベースに登録し、求人端末から募集期間を含んだ仕事情報の登録要求があると登録済みの求人者情報と関連付けて仕事情報を求人データベースに登録し、
求職端末から求職者の登録要求があると求職者の情報に求職者ＩＤを付与して求職者情報を生成して求職データベースに登録し、求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の求職者ＩＤを応募情報として求人データベースに蓄積し、
募集期間が終わると蓄積した応募情報を該当する仕事情報を登録した求人端末へ送り、
求人端末から応募した求職者毎の採用諾否の採用結果を受けると応募した求職者毎に個別の採用結果を通知することを特徴とする。
【００１２】
本発明の第１の求職求人サーバは、求職者が使用しインターネットに接続可能な求職端末と、求人者が使用しインターネットに接続可能な求人端末と、これらの端末とインターネットを介して接続する求職求人サーバであって、
求人端末から仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
蓄積した応募情報を該当する仕事情報を登録した求人端末へ送り、
求人端末から応募者毎の採用諾否の採用結果を受けると応募した全ての求職者毎に個別の採用結果を通知することを特徴とする。
【００１３】
本発明の第２の求職求人サーバは、求職者が使用しインターネットに接続可能な求職端末と、求人者が使用しインターネットに接続可能な求人端末と、これらの端末とインターネットを介して接続する求職求人サーバであって、
求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送ることを特徴とする。
【００１４】
本発明の第３の求職求人サーバは、求職者が使用しインターネットに接続可能な求職端末と、求人者が使用しインターネットに接続可能な求人端末と、これらの端末とインターネットを介して接続する求職求人サーバであって、
求人端末から募集期間を含んだ仕事情報の登録要求があると仕事情報を求人データベースに登録し、
求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送り、
求人端末から応募者毎の採用諾否の採用結果を受けると応募した全ての求職者毎に個別の採用結果を通知することを特徴とする。
【００１５】
本発明の第４の求職求人サーバは、求職者が使用しインターネットに接続可能な求職端末と、求人者が使用しインターネットに接続可能な求人端末と、これらの端末とインターネットを介して接続する求職求人サーバであって、
求職者に関する情報と求職者を識別する求職者ＩＤとを含む求職者情報を登録して保持する求職データベースと、求人者に関する求人者情報と求人を希望する仕事情報と仕事情報に対する応募情報とを登録して保持する求人データベースとを有し、
求人端末から求人者の登録要求があると求人者の情報に求人者ＩＤを付与して求人者情報を生成し求人データベースに登録し、求人端末から募集期間を含んだ仕事情報の登録要求があると登録済みの求人者情報と関連付けて仕事情報を求人データベースに登録し、
求職端末から求職者の登録要求があると求職者の情報に求職者ＩＤを付与して求職者情報を生成して求職データベースに登録し、求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の求職者ＩＤを応募情報として求人データベースに蓄積し、
募集期間が終わると蓄積した応募情報を該当する仕事情報を登録した求人端末へ送り、
求人端末から応募した求職者毎の採用諾否の採用結果を受けると応募した求職者毎に個別の採用結果を通知することを特徴とする。
【００１６】
本発明の第１の求職求人方法は、求人者が使用しインターネットに接続する求人端末から仕事情報の登録要求があると仕事情報を求人データベースに登録し、求職者が使用しインターネットに接続する求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
蓄積した応募情報を該当する仕事情報を登録した求人端末へ送り、
求人端末から応募者毎の採用諾否の採用結果を受けると応募した全ての求職者毎に個別の採用結果を通知することを特徴とする。
【００１７】
本発明の第２の求職求人方法は、求人者が使用しインターネットに接続する求人端末から募集期間を含んだ仕事情報の登録要求があると仕事情報を求人データベースに登録し、
求職者が使用しインターネットに接続する求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送ることを特徴とする。
【００１８】
本発明の第３の求職求人方法は、求人者が使用しインターネットに接続する求人端末から募集期間を含んだ仕事情報の登録要求があると仕事情報を求人データベースに登録し、
求職者が使用しインターネットに接続する求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の情報を応募情報として求人データベースに蓄積し、
募集期間が終わると蓄積した応募情報を該当する仕事情報を登録した求人端末へ送り、
求人端末から応募者毎の採用諾否の採用結果を受けると応募した全ての求職者毎に個別の採用結果を通知することを特徴とする。
【００１９】
本発明の第４の求職求人方法は、求人者が使用しインターネットに接続する求人端末から求人者の登録要求があると求人者の情報に求人者ＩＤを付与して求人者情報を生成し求人データベースに登録し、求人端末から募集期間を含んだ仕事情報の登録要求があると登録済みの求人者情報と関連付けて仕事情報を求人データベースに登録し、
求職者が使用しインターネットに接続する求職端末から求職者の登録要求があると求職者の情報に求職者ＩＤを付与して求職者情報を生成して求職データベースに登録し、求職端末から検索条件を伴う仕事情報の検索要求があると求人データベースを検索して検索条件に合う仕事情報を返送し、
求職端末から検索結果の仕事情報に対する応募要求があると該当する登録済みの仕事情報と関連付けて応募した求職者の求職者ＩＤを応募情報として求人データベースに蓄積し、
募集期間が終わると蓄積した応募情報を該当する仕事情報を登録した求人端末へ送り、
求人端末から応募した求職者毎の採用諾否の採用結果を受けると応募した求職者毎に個別の採用結果を通知することを特徴とする。
【００２０】
本発明の第１のプログラムは、求人者が使用しインターネットに接続する求人端末から仕事情報の登録要求があると仕事情報を求人データベースに登録する手順と、
求職者が使用しインターネットに接続する求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の情報を応募情報として求人データベースに蓄積する手順と、
蓄積した応募情報を該当する仕事情報を登録した求人端末へ送る手順と、
求人端末から応募者毎の採用諾否の採用結果を受けると応募した全ての求職者毎に個別の採用結果を通知する手順とをコンピュータに実行させることを特徴とする。
【００２１】
本発明の第２のプログラムは、求人者が使用しインターネットに接続する求人端末から募集期間を含んだ仕事情報の登録要求があると仕事情報を求人データベースに登録する手順と、
求職者が使用しインターネットに接続する求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の情報を応募情報として求人データベースに蓄積する手順と、
募集期間が終わると蓄積した応募情報を該当する仕事情報を登録した求人端末へ送る手順とをコンピュータに実行させることを特徴とする。
【００２２】
本発明の第３のプログラムは、求人者が使用しインターネットに接続する求人端末から募集期間を含んだ仕事情報の登録要求があると仕事情報を求人データベースに登録する手順と、
求職者が使用しインターネットに接続する求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の情報を応募情報として求人データベースに蓄積する手順と、
募集期間が終わると蓄積した応募情報を該当する仕事情報を登録した求人端末へ送る手順と、
求人端末から応募者毎の採用諾否の採用結果を受けると応募した全ての求職者毎に個別の採用結果を通知する手順とをコンピュータに実行させることを特徴とする。
【００２３】
本発明の第４のプログラムは、求人者が使用しインターネットに接続する求人端末から求人者の登録要求があると求人者の情報に求人者ＩＤを付与して求人者情報を生成し求人データベースに登録する手順と、求人端末から募集期間を含んだ仕事情報の登録要求があると登録済みの求人者情報と関連付けて仕事情報を求人データベースに登録する手順と、
求職者が使用しインターネットに接続する求職端末から求職者の登録要求があると求職者の情報に求職者ＩＤを付与して求職者情報を生成して求職データベースに登録する手順と、求職端末から検索条件を伴う仕事情報の検索要求があると求人データベースを検索して検索条件に合う仕事情報を返送する手順と、
求職端末から検索結果の仕事情報に対する応募要求があると該当する登録済みの仕事情報と関連付けて応募した求職者の求職者ＩＤを応募情報として求人データベースに蓄積する手順と、
募集期間が終わると蓄積した応募情報を該当する仕事情報を登録した求人端末へ送る手順と、
求人端末から応募した求職者毎の採用諾否の採用結果を受けると応募した求職者毎に個別の採用結果を通知する手順とをコンピュータに実行させることを特徴とする。
【００２４】
【発明の実施の形態】
次に、本発明の実施の形態について図面を参照して詳細に説明する。図１は本発明の実施の形態の求職求人システムの構成を示した図である。図１を参照すると、本発明の求職求人システムは、仕事を希望する求職者によって使用される求職端末１０と、特定の仕事をするための人材を希望する会社等の求人者によって使用される求人端末２０と、求職端末１０と求人端末２０との間で求職・求人の仲介を行う求職求人サーバ３０とを含み、これらはインターネット４０で接続される。なお、インターネット４０はインターネット以外のネットワークで接続してもよい。
【００２５】
求職端末１０は、パーソナルコンピュータ等の情報処理装置や、携帯情報端末や携帯電話機のような携帯可能な情報機器であり、求職求人サーバ３０がインターネット４０上に開設しているウェブページへのアクセスを行うブラウザ１２と、ブラウザ１２が取得したウェブページを表示する表示手段やブラウザ１２から求職求人サーバ３０へ送る情報を入力する入力手段を有する入出力部１１を含んでいる。ウェブページとはインターネットに接続しＵＲＬ（ｕｎｉｆｏｒｍ  ｒｅｓｏｕｒｃｅ  ｌｏｃａｔｏｒ）によりアクセス可能で、文字や画像等の情報をまとめて記述できる例えばＨＴＭＬ（ｈｙｐｅｒｔｅｘｔ  ｍａｒｋｕｐ  ｌａｎｇｕａｇｅ）等の言語で作成された文書であり、ユーザはリンク機能により別の文書を簡単に呼び出すことができる。
【００２６】
求人端末２０は、パーソナルコンピュータ等の情報処理装置等であり、求職求人サーバ３０がインターネット４０上に開設しているウェブページへのアクセスを行うブラウザ２２と、ブラウザ２２が取得したウェブページを表示する表示手段やブラウザ２２から求職求人サーバ３０へ送る情報を入力する入力手段を有する入出力部２１を含んでいる。
【００２７】
図１では、求職端末１０と求人端末２０を１つずつ示しているが接続数を限定するものではなく、インターネット４０に接続される不特定多数の情報処理装置が対象となり、ウェブページで示された画面の操作内容により求職端末１０或いは求人端末２０と見なされる。
【００２８】
求職求人サーバ３０は、パーソナルコンピュータやより高度の性能を持った情報処理装置であり、求職者に関する情報を保持するデータベースである求職ＤＢ３１と、求人に関する情報を保持するデータベースである求人ＤＢ３２と、求職端末１０や求人端末２０との間で情報を交換し各種情報を生成して仕事を仲介するとともに求職ＤＢ３１や求人ＤＢ３２を管理しインターネット上にウェブページを開設する処理部３３とを含む。
【００２９】
求職ＤＢ３１は、求職者の氏名、年齢、住所連絡先、保有スキル等の個人情報と求職者を識別する識別情報の求職者ＩＤから生成した求職者情報を登録して保持する。求人ＤＢ３２は、求人者の氏名（会社名）、住所、電話番号、電子メールアドレス等の情報と求人者を識別する求人者ＩＤとからなる求人者情報を登録して保持し、仕事の内容、仕事を行う場所、仕事の期間、要求されるスキル、募集人数、募集期間を含む仕事情報と、求人の募集に対して応募した求職者ＩＤからなる応募情報とを求人者情報と関連付けて募集開始から採用結果通知までの間保持するするデータベースである。
【００３０】
次に、本発明の実施の形態の動作について図面を参照して説明する。まず求人者が求人情報を登録する動作について図２のフローチャートを用いて説明し、次に求職者が求職情報を登録する動作と求職者が求人情報を検索して応募し求人者が採用を決定するまでの動作を図３のフローチャートを用いて説明する。
【００３１】
（１）求人情報登録の動作
図２を参照すれば、求人者は、求人端末２０を操作して求職求人サーバ３０が開設しているウェブページにアクセスし図示しないが表示されたウェブページでまず求人を選択する（Ｓ５１）。処理部３３は求人の選択に対して図４のような求人者確認登録画面を求人端末２０に返信する（Ｓ５２）。
【００３２】
求人端末２０は求人者確認登録画面を受信して表示し、求人者が入力した求人者情報を求職求人サーバ３０へ送信する（Ｓ５３）。この時、ブラウザ２２が受信した求人者確認登録画面を入出力部２１の表示手段へ表示するよう制御し、入出力部２１から入力された情報がブラウザ２２によって求職求人サーバ３０へ送信される。以降ブラウザ２２と入出力部２１は同様の機能を実行するが説明は省略する。
【００３３】
求人者は初回登録の際は図４の「新規の方」に当たる部分の情報を入力し“送信”ボタンをクリックする。この際求人者は図４のように氏名（会社名）、希望する求人者ＩＤ、暗証番号、住所、電話番号、電子メールアドレス等の情報を入力する。２回目以降のアクセスですでに求人者ＩＤが与えられている場合、求人者は与えられた求人者ＩＤと暗証番号を入力し“送信”ボタンをクリックする。
【００３４】
求職求人サーバ３０の処理部３３は、求人端末２０からの情報を受信して新規求人者か登録済みの求人者かを判定し（Ｓ５４）、新規の場合は求人者を識別するための求人者ＩＤを受信した情報に付与して求人者情報を生成し、求人情報を求人ＤＢ３２へ登録する（Ｓ５５）。次に図５に示す求人選択画面を求人端末２０へ返信する（Ｓ５７）。  一方、新規でない場合は送信された求人者ＩＤと暗証番号を求人ＤＢ３２を参照して認証し（Ｓ５６）、成功すれば求人選択画面を求人端末２０へ返信する（Ｓ５７）。認証が失敗した場合は図示しないが求人端末２０へその旨を返信し再入力を促す。求人者ＩＤの付与において、求人者が入力した希望ＩＤ値が空き状態で付与可能であれば優先してそのＩＤ値を付与するが、付与できない状態であれば別のＩＤ値を付与する。ただし、希望ＩＤの入力は省略してもよく、また、入力欄自体を削除してもかまわない。
【００３５】
求人端末２０は、求人選択画面を受信して表示し、入力された情報を求職求人サーバ３０へ送信する（Ｓ５８）。初回登録の際は図５のように付与された求人者ＩＤに関するメッセージが求人選択画面表示される。求人情報の登録の場合は“求人情報の登録”ボタンをクリックし、求人情報の登録要求を送信する。処理部３３は求人情報の登録要求を受けると求人情報登録画面を返信する（Ｓ５９）。なお、求人者は“登録情報の確認”ボタンをクリックすることのより求人者自身の登録内容の確認や更新をすることもできる。
【００３６】
求人端末２０は、図６に示す求人情報登録画面を受信して表示し、求人者が入力した仕事情報を求職求人サーバ３０へ送信する（Ｓ６０）。求人者は仕事情報として、図６のように、職種、内容、期間、場所、報酬、募集人数、要求スキル、年齢条件に加えて、募集期間を含んでいる。通常募集は登録日から開始され指定日時まで受け付けられ、募集締め切り後に求人者は募集情報を取得する。また、職種は予め分類された一覧から選択するようにして入力する。求人者は入力が終わると“送信”ボタンをクリックして仕事情報を送信する。
【００３７】
求職求人サーバ３０の処理部３３は、仕事情報を受信すると該当する求人者情報と関連づけて求人情報を作成し求人ＤＢ３２に登録する（Ｓ６１）。このようにして求人者からの求人者情報と仕事情報とが関連づけられて求人ＤＢ３２へ登録される。その後、処理部３３は仕事情報の応募期間を参照し、応募の受け付けを行う。
【００３８】
（２）求職情報登録の動作
図３を参照すると、求職者は求職端末１０を操作して求職求人サーバ３０がインターネット４０上に開設しているウェブページにアクセスして図示しないが表示されたウェブページで求職を選択する（Ｓ７１）。処理部３３は求職の選択に対して求職者確認登録画面を返信する（Ｓ７２）。
【００３９】
求職端末１０は、受信した求職者確認登録画面を表示し、求職者が入力した情報を求職求人サーバ３０へ送信する（Ｓ７３）。この時、ブラウザ１２が受信したウェブページの求職者確認登録画面を入出力部１１の表示手段に表示し、入出力部１１の入力手段から入力された入力情報をブラウザ１２が送信する。以降ブラウザ１２と入出力部１１は同様の機能を実行するが説明は省略する。
【００４０】
求職者は、図７に示す求職者確認登録画面を参照して、登録済みで求職者ＩＤを持っている場合は求職者ＩＤと暗証番号を入力して“送信”ボタンをクリックし、未登録の場合は氏名、住所、年齢、電話番号、電子メールアドレス、スキル等の個人情報を入力して“送信”ボタンをクリックする。
【００４１】
処理部３３は、受信した情報が登録済みか新規登録か判定し（Ｓ７４）、新規登録の場合は受信した個人情報に求職者を識別する求職者ＩＤを付与して生成した求職者情報を求職ＤＢ２１へ登録し求職選択画面を求職端末１０へ返送する（Ｓ７５）。一方、登録済みの場合、処理部３３は受信した求職者ＩＤと暗証番号が正しいか否かを求職ＤＢ３１を参照して認証し正しければ求職選択画面を求職端末１０へ返送する（Ｓ７６）。なお、認証結果が不正の場合はその旨を求職端末１０へ返送し再入力を促すようにする。
【００４２】
（３）求人情報検索から採用までの動作
求職端末１０は図８に示す求職選択画面を受信して表示し、求職者の入力した情報を求職求人サーバ３０へ送信する（Ｓ７７）。求職者は求人情報を検索するために“仕事を検索する”ボタンをクリックし、求職端末１０が仕事の検索要求を送信する。なお、求職者は求職者要求画面で“登録情報の確認”ボタンをクリックすれば求職者が求職ＤＢ３１に登録した情報を確認することもできる。処理部３３は仕事の検索要求を受信すると図９に示す仕事検索画面を返送する（Ｓ７８）。
【００４３】
求職端末１０は受信した仕事検索画面を表示し、求職者が入力した検索条件情報を求職求人サーバ３０へ送信する（Ｓ７９）。求職者は求職端末１０に表示された図９に示す仕事検索画面に対して希望する仕事の検索条件を入力し“送信”ボタンをクリックする。図９の希望職種は予め分類された一覧の中から選択するようにする。この希望職種は求人者が求人情報等録画面で入力した職種と同じ分類とし対応づけられるようになっている。この他に、求職者は仕事の期間、場所、報酬等の希望と、要求されるスキルに対する条件を入力する。
【００４４】
処理部３３は受信した検索条件情報に基づいて求人ＤＢ３２に登録されている仕事情報を検索し、条件を満足する求人情報を取り出して、取り出した求人情報に基づいて求人情報リストを作成しこれを検索結果画面として返送する（Ｓ８０）。なお、検索結果が得られなかった場合は、自動的に検索条件情報を満足しなくてもそれに近い条件の仕事情報を検索して検索結果を返送してもよいし、結果無しとして求職者に条件を変更して再入力するよう促してもよい。
【００４５】
求職端末１０は、受信した検索結果画面を表示し、求職者が入力した情報を求職求人サーバ３０へ送信する（Ｓ８１）。求職者は図１０に示す検索結果画面を参照し、より詳細な情報を希望する場合や応募する場合には該当する求人情報の“詳細”ボタンをクリックする。処理部３３は、求職者が指定した求人情報を受信し、求人ＤＢ３２から該当する求人者情報と仕事情報を取り出して詳細情報を生成し詳細求人情報画面として返送する（Ｓ８２）。
【００４６】
求職端末１０は、受信した詳細求人情報画面を表示し、求職者が入力した情報を求職求人サーバ３０へ送信する（Ｓ８３）。求職者は図１１に示す詳細求人情報画面を参照し、求人情報の詳細を確認し応募する場合には“応募”ボタンをクリックする。労働契約は“クリックしてテキストを表示”ボタンのクリックにより、労働時間、休憩時間、休日等の労働契約に関する詳細が表示される。
【００４７】
処理部３３は、求職端末１０から応募の情報を受信すると、募集期間内か否か確認し期間内であれば応募を受け付けて、求人者情報と仕事情報に関連づけて応募した求職者ＩＤを応募情報として求人ＤＢ３２に登録する（Ｓ８４）。応募の受信が応募期間外の場合はその旨を求職端末１０へ返信する。
【００４８】
処理部３３は、募集期間終了までの間、応募を受け付けて求人ＤＢ３２に応募情報として求職者ＩＤの登録を行い、締め切り日が過ぎた時点で応募の受け付けを終了し求人ＤＢ３２に登録された求職者ＩＤに基づいて求職ＤＢ３１を参照して応募者一覧画面をウェブページとして作成し、このウェブページのＵＲＬを含んだ通知を電子メールにて該当する求人者の求人端末２０へ送付する（Ｓ８４）。なお、電子メールにＵＲＬではなく作成した応募者一覧画面のウェブページを添付して送信してもよく、求人者はブラウザ２２を用いて応募者一覧画面のウェブページを開けばよい。
【００４９】
求人者は通知を受けると求人端末２０を操作してブラウザ２２から通知されたＵＲＬへアクセスして図１２に示す応募者一覧画面を表示し、求職者の情報を入手できる。ＵＲＬ応募者一覧画面には応募した求職者の情報が応募者リストとして表示され、求職者の氏名、年齢、住所、連絡先、スキル等の情報が表示される。求人者は応募者の詳細情報が見たい場合や、採用を決定する場合は該当する求職者の行の“詳細”ボタンをクリックする。求人端末２０は、“詳細”ボタンがクリックされると詳細要求を求職求人サーバ３０へ送付する（Ｓ８５）。処理部３３は、求人端末２０から詳細要求を受けると求職ＤＢ３１から該当する求職者情報を抽出して図１３のような詳細応募者情報画面を作成して返送する（Ｓ８６）。
【００５０】
求人端末２０は受信した詳細応募者情報画面を表示し、求人者が入力した情報を求職求人サーバ３０へ送信する（Ｓ８７）。求人者は図１３に示すような詳細応募者情報画面を参照して応募者の詳細情報を検討し、採用を決定する場合は“採用決定”ボタンをクリックする。“採用決定”ボタンがクリックされると、求人端末２０は採用決定通知を求職求人サーバ３０へ送付する。
【００５１】
処理部３３は採用決定通知を受けると応募者リストの採用欄に採用決定を示す“採用”を追加するとともに応募者一覧画面の下部に表示されるメッセージの採用予定人数を１人減算して表示した応募者一覧画面を返送し、求人者は採用の手順を繰り返して、予定応募者数の採用を決定すると応募者一覧画面の下部に表示されるメッセージの採用予定人数があと０人となり、応募者一覧画面の“採用終了”ボタンをクリックする。“採用終了”ボタンがクリックされると採用終了の通知が求人端末２０から処理部３３へ送付される（Ｓ８７）。なお、採用の人数は原則応募者数であるが、採用の条件に合う応募者が応募数に満たない場合には応募者数未満であっても採用終了としてもかまわないし、応募人数より多少多く採用してもかまわない。
【００５２】
処理部３３は採用終了通知を受けると、ＤＢ３２に登録されている求職者ＩＤからなる応募情報に基づいて求職者ＤＢ３１を参照し、応募者全員に対して採用の諾否の各自の結果を個別に電子メールにて通知し、通知が正常に終了した後に求人ＤＢ３２から該当する仕事情報と応募者情報とを消去或いは無効化する（Ｓ８８）。求人情報に応募した求職者は採用の諾否を電子メールにて受信し、採用結果を迅速に知ることができる。
【００５３】
このように、求職者は遠隔地であっても移動することなくインターネットを介して自分の希望する職種や条件に合った求人情報を広く速く入手することができ、求人者も応募期間を指定することにより希望日時までに応募情報を入手して短期間で採用を決定して労働力を確保でき、求職者も迅速に採用結果を知ることができる。
【００５４】
従って、求職者、求人者とも求職・求人に費やす時間を短縮し、移動や通信等の費用を削減することができる。特に、求人者が突発的に発生した短期間の仕事等について早急に人を集めたい場合に有効となる。また、求人者は条件が悪いため応募が十分集まらなかった場合には、条件を見直して新たに追加の求人公募を行うこともできる。
【００５５】
また、求職者も、不採用の結果を早く知ることにより、次の仕事の応募を早く開始できるので、仕事を見つける確率を上げることができる。なお、長期の仕事についても本発明は適用でき、求人者は応募者の詳細情報を参照して応募者とアクセスし十分な審査等を行うこともできる。
【００５６】
【発明の効果】
以上説明したように本発明によれば、求人者と求職者との間の情報交換と応募・採用をインターネットを利用して実現することにより、求人者は迅速に労働力を確保できるようになり、求職者も自分の希望する仕事を早く見つけて早く採用結果を知ることができ、求職・求人に対する時間と費用を削減できるという効果がある。
【図面の簡単な説明】
【図１】本発明の実施の形態の構成を示す図である。
【図２】本発明の実施の形態の求職者の登録動作を示すフローチャートである。
【図３】本発明の実施の形態の求人者の登録から採用までの動作を示すフローチャートである。
【図４】本発明の実施の形態の求人者確認登録画面の一例である。
【図５】本発明の実施の形態の求人選択画面の一例である。
【図６】本発明の実施の形態の求人情報等録画面の一例である。
【図７】本発明の実施の形態の求職者確認登録画面の一例である。
【図８】本発明の実施の形態の求職選択画面の一例である。
【図９】本発明の実施の形態の仕事検索画面の一例である。
【図１０】本発明の実施の形態の検索結果画面の一例である。
【図１１】本発明の実施の形態の詳細求人情報画面の一例である。
【図１２】本発明の実施の形態の応募者一覧画面の一例である。
【図１３】本発明の実施の形態の詳細応募者画面の一例である。
【符号の説明】
１０    求職端末
１１    入出力部
１２    ブラウザ
２０    求人端末
２１    入出力部
２２    ブラウザ
３０    求職求人サーバ
３１    求職ＤＢ
３２    求人ＤＢ
３３    処理部
【図１】
2004258982.tif 000003
【図２】
2004258982.tif 000004
【図３】
2004258982.tif 000005
【図４】
2004258982.tif 000006
【図５】
2004258982.tif 000007
【図６】
2004258982.tif 000008
【図７】
2004258982.tif 000009
【図８】
2004258982.tif 000010
【図９】
2004258982.tif 000011
【図１０】
2004258982.tif 000012
【図１１】
2004258982.tif 000013
【図１２】
2004258982.tif 000014
【図１３】
2004258982.tif 000015